(57)【要約】      （修正有）【課題】田に水を引き入れるよう設けられたコンクリート製のＵ字型側溝において、上面から水が溢出するのを防止するための嵩上げ構造を提供する。【解決手段】Ｕ字型側溝の嵩上げ構造は、水田に用いられるＵ字型側溝の構造であって、既設の水田用Ｕ字型側溝１の上に、ａ）高さが１００ｍｍ〜１５０ｍｍで、ｂ）Ｕ字型側溝の天端面１ａの横幅Ｗａに対する横幅Ｗｂの比率（Ｗａ／Ｗｂ）が５０％以上で、ｃ）隣接するブロック体との接続面にモルタルセメントを流し込み可能な縦孔を穿設した直方形のコンクリート製ブロック体２が載置され、ブロック体の底面とＵ字型溝の天端面との接合面が引張強さ１２．５Ｎ／ｍｍ２以上の接着力を備えた接着剤で固着され、固着されたブロック体の底面とＵ字型側溝とに挟まれる下方間隙に土砂が敷設されている。【選択図】図１
0003221271.tif 000002
【実用新案登録請求の範囲】
【請求項１】
水田に用いられるＵ字型側溝の構造であって、
既設の水田用Ｕ字型側溝の上に、ａ）高さ（Ｈ）が１００ｍｍ〜１５０ｍｍで、ｂ）該Ｕ字型側溝の天端面の横幅（Ｗａ）に対する横幅（Ｗｂ）の比率（Ｗａ／Ｗｂ）が５０％以上で、ｃ）隣接するブロック体との接続面にモルタルセメントを流し込み可能な縦孔を穿設した直方形のコンクリート製ブロック体が載置され、
載置されたブロック体の底面とＵ字型溝の天端面との接合面が、引張強さ１２．５Ｎ／ｍｍ２以上の接着力を備えた接着剤で固着され、
固着されたブロック体の底面とＵ字型側溝とに挟まれる下方間隙に土砂が敷設された、
ことを特徴とするＵ字型側溝の嵩上げ構造。
【考案の詳細な説明】
【技術分野】
【０００１】
本考案は、田に水を引き入れるよう設けられたコンクリート製のＵ字型側溝にあって、その上面から水が溢出するのを防止するための嵩上げ構造に関する。
【背景技術】
【０００２】
従来、水田の側面には、水を引き入れるためのコンクリート製のＵ字型側溝が設けられているが、その設置の態様としては、例えば図４に示す如くで、一方側が水田で他方側が道路となり、その中間にＵ字溝が設けられる場合がある。
このとき、一方の水田側には、Ｕ字溝との間に畦畔と呼ばれる一定の盛り土があり、その畦畔を介してＵ字溝の取入口から水田につながる導水路が形成され、他方の道路側には、傾斜となる法面が形成され、その法面とＵ字溝との間には犬走りと呼ばれる脇道が確保されている場合が多い。
斯かる水田にあって、田植え期間に入り田に多量の水が必要とされると、このＵ字溝には水が絶えず流し込まれる。
しかし、この水は全体に行き渡らせるよう充分な量が確保されているとは限らず、たとえ上流で樋門（ゲート）をいっぱいに開いたとしても、下流側においては、流入量が不足してしまう傾向にある。
そこで、多くの管理者は、この側溝の水の取入口の付近に流れを遮る為のための石等の障害物を置き、上流からの流れを一時的にここに留め、溜まった水をその取入口から水田へと流し込もうとする。
しかしこれを無制限に行うと、やがて食いとめられた障害物の付近から水が溢れ出し、一方には、上記畦畔と呼ばれる水田脇の領域へと流れだし、この畦畔を浸食して型崩れを起こすおそれがある。他方、道路側の犬走りの領域へ流れ出すと、やがて法面へと至り、傾斜のある法面を浸食して道路肩側を崩してしま危険が誘発される。
尚、従来技術として特許文献１が挙げられるが、ここには水路水を嵩上げする堰板が記載されているが、その目的は魚類の遡上を可能とするものであり、本案の目的も効果もない。
【先行技術文献】
【特許文献】
【０００３】
【特許文献１】特開２００４−６８５７１
【考案の概要】
【考案が解決しようとする課題】
【０００４】
本考案は上記課題を解決しようとしてなされたもので、既に設置されているコンクリート製のＵ字型側溝を対象とし、これにコンクリート製のブロック体を載置させることで嵩上げ効果を発揮し、水の溢出を防止すると共に、設置後に心配される構造の不安定化を解消しようとするものである。
【課題を解決するための手段】
【０００５】
本考案Ｕ字型側溝の嵩上げ構造は、水田に用いられるＵ字型側溝の構造であって、
既設の水田用Ｕ字型側溝の上に、ａ）高さ（Ｈ）が１００ｍｍ〜１５０ｍｍで、ｂ）該Ｕ字型側溝の天端面の横幅（Ｗａ）に対する横幅（Ｗｂ）の比率（Ｗａ／Ｗｂ）が５０％以上で、ｃ）隣接するブロック体との接続面にモルタルセメントを流し込み可能な縦孔を穿設した直方形のコンクリート製ブロック体が載置され、その載置されたブロック体底面とＵ字型溝天端面との接合面が引張強さ１２．５Ｎ／ｍｍ２以上の接着力を備えた接着剤で固着され、固着されたブロック体の底面とＵ字型側溝とに挟まれる下方間隙に土砂が敷設された、ことを特徴とする。
【考案の効果】
【０００６】
本案Ｕ字型側溝の嵩上げ構造は、既設の水田用Ｕ字型側溝の上にブロック体が１００ｍｍ〜１５０ｍｍの高さ（Ｈ）で載置され、既設のＵ字型側溝が嵩上げされた状態となり、その壁による堰き止め効果が発揮され、流水は溝内に納まり、周囲に溢出することはない。
従って、水田への水の供給が促されると同時に、たとえ水位が上がっても溢出の危険は解消され、畦畔や犬走り等の崩壊のおそれが回避されると共に、無駄な水の消耗がなくなり円滑な下流側への水の供給が促される。
【０００７】
農事管理者が見回り等に出向いて設置されたブロック体の上に載り、その体重がブロック体に掛かったとすると、Ｕ字型側溝の上のブロック体に傾きが生じるおそれがあるが、しかし、本案構造は、高さ１００ｍｍ〜１５０ｍｍのブロック体に対し、Ｕ字型側溝の天端面の横幅（Ｗａ）に対する横幅（Ｗｂ）の比率（Ｗａ／Ｗｂ）を５０％以上とし、そのブロック体とＵ字型側溝の天端面との接合面には引張強さ１２．５Ｎ／ｍｍ２以上の接着力を働かせるので、敷き込まれた土砂の支持力と相俟って接合面に強い固定力を働かせることができ、相当体重の人が載ってもブロック体が傾くことはない。
又、そのブロック体同士は、モルタルセメントを流し込んだ縦孔２ｃを介して連設されているので、この固定力はさらに強化され、構造全体が安定化される。
【０００８】
その設置作業にあっても、直方形のブロック体を現場に持ち込み、既設のＵ字型側溝の清掃と接着剤の塗布作業を行うだけで、短時間のうちに設置を完了させることができ、多くの人や時間を費やすこともない。
【図面の簡単な説明】
【０００９】
【図１】本案構造の一例を示す模式的断面図である。
【図２】本案に使用するブロック体を示す斜視図である。
【図３】本案構造を設置した後にブロック体上を人が歩いた際に起こる現象を模式的に表した一部切欠断面図である。
【図４】従来のＵ字型側溝に起こる溢出現象を示した模式的断面図である。
【考案を実施するための形態】
【００１０】
本考案の対象とするのは、図１に示す如く、水田に水を流入させるために敷設されたコンクリート製のＵ字型側溝１であり、既設の側溝に対するものである。
該Ｕ字型側溝１には、上蓋式、落ち込み式等各種態様のものがあるが、その種類を問わず、天端面１ａが上方に露出し、その天端面１ａに載置に適した平坦部を備えたものすべてを対象とする。
そして、そのＵ字型溝１には大小各サイズが存するが、本案は、上記露出した天端面１ａの横幅Ｗａが６０ｍｍ以上のものを対象とする。これは、本案使用のブロック体の有効性を確保するためである。
【００１１】
上記Ｕ字型側溝１に対し、本考案では、このＵ字型側溝１を嵩上げするための直方形のブロック体２が形成される。
その形態は、図２に示す如くで、直方体の長さは側溝に合わせて任意のものとするが、その高さ（Ｈ）を１００ｍｍ〜１５０ｍｍとする。１００ｍｍ以下では、直方体として薄手に過ぎ、１５０ｍｍ以上とすると、後述するブロック２の安定性に欠けるからである。
側面には、隣接するブロック体との接続面にモルタルセメントを流し込み可能な縦孔２ｃを穿設し、上記直方形のブロック体の長さを延設可能とする。
【００１２】
そして、その底面２ａ及び上面２ｂにあっては、底面２ａを平坦面とし、一方上面２ｂは平坦であっても、それ以外であっても良い。
そして、その底面２ａ及び上面２ｂの横幅Ｗｂを、上記対象となる既設のＵ字型側溝１の天端面１ａの横幅Ｗａに対し、Ｗａ／Ｗｂの値が５０％以上となる比率の構成とする。
その理由は、上記Ｕ字型側溝１の天端部は、必ずしも相当の幅（厚み）を有しているとは限らず、その薄い寸法に合わせてブロック体の横幅を決定すると、構造体として脆弱なものとなるおそれがある。一方、そのブロック体の幅を増すと、ブロック体の設置後に、ブロック体の上を人が歩いた場合に天端部の上でブロック体が傾く等の危険が生じる。
そこで、ブロック体２の横幅Ｗｂを適正な値としなければならないが、その値は、
ブロック体の高さ（Ｈ）を１００ｍｍ〜１５０ｍｍとしたとき、該Ｕ字型側溝の天端面の横幅（Ｗａ）に対する横幅（Ｗｂ）の比率（Ｗａ／Ｗｂ）が５０％以上のものとする。その理由については後述する。
【００１３】
上記条件を満たす接合面Ｓには、接着剤３を塗布するものとし、互いをコンクリート製とした素材の接着に好適な接着剤３とし、その引張強さが、ＪＩＳＫ７１１３規定で２０℃・７日の条件で１２．５Ｎ／ｍｍ２以上の強度を発揮するものとする。例えば、２成分混合性のエポシキ系接着剤とし、日本シーカ（株）製のシーカデュアＷＳ（商標名）とすることができる。
【００１４】
上記Ｕ字型側溝１とその上に載置したブロック体２との間には、該側溝１の脇部でブロック体２の下方に間隙が生じるが、その間隙には周囲の土砂４を集め、その隙間に敷き込むように充填する。
これはブロック体２の下方を下支えするものであるから、可及的に密に充填することが望ましい。
【００１５】
斯くして、既設の水田用Ｕ字型側溝１の上に直方形のコンクリート製ブロック体２が載置され、該ブロック体２とＵ字型側溝１の天端面との接合面Ｓが接着剤３で固着され、該ブロック体の底面２ａとＵ字型側溝１とに挟まれる下方間隙に土砂４が敷設されたＵ字型側溝１の嵩上げ構造が形成される。
【００１６】
そして、この構造にあって、上記Ｗａ／Ｗｂの値の決定は次の如くとする。
即ち、上述の如く、ブロック体に傾き等の危険が生じた場合を想定すると、図３に示す如く、Ｕ字型側溝１とブロック体２の境界点をＰ点、ブロック体２の外側最上部をＫ点とすると、人がブロック体の上に乗った場合には、その体重はＫ点に掛かることとなる。すると、その荷重は、Ｐ点を中心としＫ点を作用点とした斜め下方向へのベクトルが働き、ブロック体を図示左下方向に傾かせ、ブロック体をＵ字型側溝との接合面から引き剥がす方向に作用する。
そこで、これに抗するようＷａ／Ｗｂの比率を定めねばならないが、この値の決定にあたっては、Ｗａが６０ｍｍ以上のものを対象とし、ブロック体２の高さ（Ｈ）を１００ｍｍ〜１５０ｍｍとするから、その高さ（Ｈ）を最大値の１５０ｍｍとしたときに作用するであろう上記ベクトルを想定することで構造の安定化が図られるものとなる。ここに、接合面に接着強さが１２．５Ｎ／ｍｍ２の接着剤を作用させ、体重１００ｋｇ程度の人が載った場合の上記条件を付加して。
斯かる条件下で現場実験をしたところ、Ｗｂが１２０ｍｍ以下、即ちＷａ／Ｗｂが５０％以上となる比率構成の下で、ブロック体にはなんらの傾きが生じず、安定であることが確認できた。
また、Ｗａには７０ｍｍ以上の場合も想定され、その場合にはＷａ／Ｗｂが５８％以上の比率となる。
【００１７】
次いで、本案ブロック体を設置する作業工程を説明する。
先ず、作業の開始にあたっては、対象となる水田に既設されているＵ字型側溝１の天端面の横幅Ｗａを測定する。そして、その寸法にあった本案ブロック体２の大きさを上記要件に基づいて決定し、それを現場に搬入する。
現場の側溝は汚れている場合が多いので、側溝天端面等の汚れをブラシ等で掻き落とし、露出された天端面１ａを接着を妨げない粗面とし、必要に応じてバーナー等で乾燥状態とする。
他方で、例えば２成分系の接着剤３を用意し、その２成分を混合し、上記乾燥した天端面１ａをヘラ等で塗布し、必要に応じてブロック体２の接合面Ｓ側にも塗布する。
【００１８】
そして、持ち込んだブロック体２を上記接着剤３を塗布したＵ字型側溝１の上に載置する。
このとき、ブロック体２はＵ字型側溝１の天端面には可及的に正確な位置に載置するものとし、側溝１の天端面で天端面１ａを形成する部位の側溝内側よりの端部の上に、ブロック体２の内側端部が一致するように配置する。
そして、そこに接着剤３を塗布し、ブロック体２の上に適当な重量物を置く等して一定時間を加圧状態に置く。
【００１９】
一定時間が経過して、接着剤３の硬化が完了したら、ブロック体２の下方で側溝１の脇部には間隙が残るものとなるが、そこで、ここに土砂４を隙間なく充填する。この土砂４は犬走り、畦畔等の周囲の土砂を掻き集めて敷き込めば良い。
この土砂４は、ブロック体２を下支えするものであるから、隙間にできる限り密に充填することが望ましい。
斯くして敷設作業は完了する。
【００２０】
次いで、上記作業によって設置された図１に示す如き本案Ｕ字型側溝の嵩上げ構造の作用及び効果を説明する。
田植えの時期を迎えて、上記敷設された本案構造のＵ字型側溝１に水が流されてくると、取入れのために置いた障害物ｍの付近から水が溢れ出す危険が生じる。
しかし、本案では、既設の水田用Ｕ字型側溝１の上に１００ｍｍ〜１５０ｍｍの高さ（Ｈ）のブロック体２が載置され、それがモルタルセメントを流し込んだ縦孔２ｃを介して連設されているので、既設のＵ字型側溝１が嵩上げされた状態となり、その壁による堰き止め効果が発揮され、流水は溝内に納まり、周囲に溢出することはない。
そして、当然に水の流れはＵ字型側溝１に設けられた取入口１ｂから水田に導かれると同時に、そこを乗り越えた水はそのまま下流側へと流される。
従って、水田への水の供給が促されると同時に、水位が上がっても溢出の危険は解消され、畦畔や犬走りの崩壊のおそれが回避されると共に、下流側への水の供給が促されて無駄な水の消費が無くなり、水田全体の円滑な水の管理が図られる。
【００２１】
このとき、農事管理者が見回り等で設置されたブロック体２の上を歩いても、高さ１００ｍｍ〜１５０ｍｍのブロック体２に対し、Ｕ字型側溝１の天端面の横幅（Ｗａ）と横幅（Ｗｂ）との比率（Ｗａ／Ｗｂ）を５０％以上とした本案構造には、その接合面Ｓに引張強さ１２．５Ｎ／ｍｍ２以上の接着力と敷き込まれた土砂４の支持力が働き、ブロック体上方のＫ点に下方Ｐ点を中心とした斜め下方向へのベクトルが作用したとしてもこれに抗することができ、構造が揺らぐことはない。
【００２２】
その設置作業にあっても、直方形のブロック体２を現場に持ち込み、既設のＵ字型側溝１への清掃と接着剤３の塗布作業を行うだけで、工事は短時間のうちに完了させることができ、多くの人や時間を費やすこともない。
【００２３】
本案は以上のようで、水田のＵ字型側溝の嵩上げ構造として広く用いることができる。
【符号の説明】
【００２４】
１    Ｕ字型側溝
１ａ  天端面
１ｂ  取入口
２    ブロック体
２ａ  底面
２ｂ  上面
２ｃ  縦孔
３    接着剤
４    土砂
Ｈ    ブロック体の高さ
Ｗａ  側溝天端面横幅
Ｗｂ  ブロック体横幅
Ｓ    接合面
Ｐ    支点
Ｋ    作用点
ｍ    障害物
【図１】
0003221271.tif 000003
【図２】
0003221271.tif 000004
【図３】
0003221271.tif 000005
【図４】
0003221271.tif 000006